(57)【要約】【課題】  板材の裏面傷を軽減でき、かつその軽減処置のために加工精度を低下させることがなく、精度の良いパンチ加工が可能なパンチプレス用のダイを提供する。【解決手段】  このダイ５は、パンチプレスで使用され、パンチ４と共働で板材Ｗに対して加工を行うダイであって、ダイ本体２０と、ゴム状弾性体からなるダイ肩部材２１とで構成される。ダイ本体２０は、上面中央が金属製フラット面２０ａとされている。ダイ肩部材２１は、ダイ本体２０の金属製フラット面２０ａの外周を囲んで設けられ、上面がフラット面２１ａとされている。ダイ肩部材２１のフラット面２１ａは、ダイ本体２０の金属製フラット面２０ａと略同一高さとされる。【選択図】      図３
2006075852.tif 000002
【特許請求の範囲】
【請求項１】
パンチプレスで使用され、パンチと共働で板材に対して加工を行うダイであって、上面中央が金属製フラット面とされたダイ本体と、このダイ本体の前記金属製フラット面の外周を囲んで設けられて上面がフラット面とされたゴム状弾性体からなるダイ肩部材とを備えるパンチプレス用のダイ。
【請求項２】
前記ダイ肩部材の前記フラット面は、前記金属製フラット面と略同一高さとされる請求項１記載のパンチプレス用のダイ。
【請求項３】
前記ダイ肩部材がリング部材であり、前記ダイ本体が、前記金属製フラット面の周囲に、前記金属製フラット面から立ち下がる円筒状周面および前記金属製フラット面に対して段差を持って低くなった底面で構成される環状の嵌合凹部を有し、前記ダイ肩部材は前記嵌合凹部の前記円筒状周面に締まり嵌め状態に嵌合して前記底面上に載るように配置されたものである請求項１または請求項２記載のパンチプレス用のダイ。
【発明の詳細な説明】
【技術分野】
【０００１】
この発明は、パンチプレスで使用される下型となるダイに関する。
【背景技術】
【０００２】
タレットパンチプレス等のパンチプレスでは、上型となるパンチと下型となるダイとを用いてパンチ加工が行われる。下型となるダイは、その上方で平面方向に送られる板材の縁部等と干渉しないように、また板材の裏面を傷つけないように、上面周縁の肩部に面取り加工が施されている。
しかし、上面周縁に面取り加工が施されていても、ダイ全体が金属製であるため、ダイの上面やその周縁の面取加工部のエッジに摺れながら板材が移動したときに、板材の裏面に傷が付くことがある。
【０００３】
このような板材の裏面傷を低減する対策として、図９のようにダイ２５の上面２５ａに複数本のブラシ２６を植設し、ブラシ２６によりダイ上面２５ａから板材Ｗを浮かせて移動させるようにしたものが提案されている（例えば特許文献１）。
【特許文献１】特許２８９５７６２号公報
【発明の開示】
【発明が解決しようとする課題】
【０００４】
しかし、上記ブラシ２６で板材Ｗを浮かせて支持するものでは、ダイ２５上に板材Ｗを配置した図９（Ａ）の状態から、図９（Ｂ）のようにパンチ２４を押し下げる間に、図１０に拡大して示すように板材Ｗを支持していたブラシ２６（図１０（Ａ））が屈曲するように撓み（図１０（Ｂ））、垂直には縮まない。この斜めに撓むブラシの反力により、板材Ｗに水平方向の分力が作用し、板材Ｗに矢印方向への位置ずれが発生することがある。このため、加工精度を低下させるという問題が有る。
【０００５】
この発明の目的は、板材の裏面傷を軽減でき、かつその軽減処置のために加工精度を低下させることがなく、精度の良いパンチ加工が可能なパンチプレス用のダイを提供することである。
この発明の他の目的は、パンチ加工時にダイ肩部材を下降させる必要がなく、安定した孔開け加工が行えるものとすることである。
この発明のさらに他の目的は、裏面傷の防止用の部材を有しながら、ダイの組立が簡単に行えるものとすることである。
【課題を解決するための手段】
【０００６】
この発明のパンチプレス用のダイは、パンチプレスで使用され、パンチと共働で板材に対して加工を行うダイであって、上面中央が金属製フラット面とされたダイ本体と、このダイ本体の前記金属製フラット面の外周を囲んで設けられて上面がフラット面とされたゴム状弾性体からなるダイ肩部材とを備えるものである。
この構成によると、ダイの肩部をゴム状弾性体製のダイ肩部材で構成したため、板材が移動した際にダイ肩部との摺接で発生する裏面傷を軽減することができる。また、ダイ本体の上面が金属製フラット面とされ、その外周のダイ肩部材も上面にフラット面を有するため、金属製フラット面で板材を受け止めた状態で、パンチによる板材の打ち抜き加工を確実に行えると共に、ダイ肩部材のフラット面でも板材が受け止められて、広いフラット面で板材を安定良く支持しながら、板材の裏面傷を軽減することができる。また、ダイ肩部材はダイの肩部を構成しており、板材を介してパンチの押し下げ荷重が作用したときには垂直に縮む。そのため、パンチ加工時に板材を移動方向にずれさせる力が作用せず、加工精度も向上する。
【０００７】
前記ダイ肩部材の前記フラット面は、前記金属製フラット面と略同一高さとされていても良い。
上記両フラット面が略同一高さであると、パンチ加工時に、ダイ肩部材のフラット面をダイ本体の金属製フラット面と揃えるためにダイ肩部材を下降させるといった動作が不要であり、板材を安定良く支持して打ち抜き加工できる。
【０００８】
前記ダイ肩部材はリング部材であっても良い。その場合に、前記ダイ本体が、前記金属製フラット面の周面に、前記金属製フラット面から立ち下がる円筒状周面および前記金属製フラット面に対して段差を持って低くなった底面で構成される環状の嵌合凹部を有し、前記ダイ肩部材は前記嵌合凹部の前記円筒状周面に締まり嵌め状態に嵌合して前記底面上に載るように配置されるものとしても良い。
このようにダイ肩部材がダイ本体の円筒状周面に締まり嵌め状態に嵌合するものであると、ダイの製造時におけるダイ肩部材の組立や、ダイ肩部材の損傷等による交換時等に、ダイ肩部材を嵌め込むだけで簡単にダイ本体に組付けることができる。この組付けは、工具を用いることが不要な程度の締まり嵌めとすることで、より簡単に行える。
【発明の効果】
【０００９】
この発明のパンチプレス用のダイは、上面中央が金属製フラット面とされたダイ本体と、このダイ本体の前記金属製フラット面の外周を囲んで設けられて上面がフラット面とされたゴム状弾性体からなるダイ肩部材とを備えるものであるため、板材の裏面傷を軽減でき、かつその軽減処置のために加工精度を低下させることがなく、精度の良いパンチ加工が可能となる。
ダイ肩部材のフラット面を、金属製フラット面と略同一高さとした場合は、パンチ加工時にダイ肩部材を加工させる必要がなく、安定した孔開け加工が行える。
前記ダイ肩部材がリング部材であり、前記ダイ本体が、前記金属製フラット面の周囲に、前記金属製フラット面から立ち下がる円筒状周面および前記金属製フラット面に対して段差を持って低くなった底面で構成される環状の嵌合凹部を有し、前記ダイ肩部材は前記嵌合凹部の前記円筒状周面に締まり嵌め状態に嵌合して前記底面上に載るように配置されたものである場合は、裏面傷の防止用部材であるダイ肩部材を有しながら、ダイの製造時やダイ肩部材交換時等における組立を簡単に行うことができる。
【発明を実施するための最良の形態】
【００１０】
この発明の第１の実施形態を図１ないし図５と共に説明する。図１はこの実施形態のダイを備えたパンチプレスの概略構成を示す破断平面図、図２はその側面図である。このパンチプレスは、フレーム１における上フレーム部１ａおよび下フレーム部１ｂに、上下のタレット２，３が互いに同心の垂直軸心回りに回転自在に支持されている。これら上下のタレット２，３には、上下の金型である複数のパンチ４およびダイ５が円周方向に並べて設置されている。パンチ４は、パンチ位置Ｐに割り出された状態で、ラム６（図２）により昇降駆動される。ラム６は、ガイド部材を介して上フレーム部１ａに昇降自在に支持され、パンチ加工手段７で昇降駆動される。パンチ加工手段７は、例えばサーボモータ８とその回転を直線運動に変換する運動変換機構９とからなる。上下のタレット２，３は、フレーム１に設置されたタレット割出機構（図示せず）により、互いに同期して回転させられる。
【００１１】
板材送り機構１１は、テーブル１２上に載せられた板材Ｗの任意箇所をパンチ位置Ｐへ送る手段である。この板材送り機構１１は、前後（Ｙ方向）移動するキャリッジ１３に、左右（Ｘ方向）移動するクロススライド１４を設置し、板材Ｗの端部を把持するワークホルダ１５をクロススライド１４に取付けたものとしてある。
【００１２】
図３は、上下のタレット２，３に取付けられたパンチ４およびダイ５の部分破断正面図を示す。パンチ４は、上タレット２のパンチ収容孔１０に昇降自在に収容されるパンチホルダ１６で保持され、パンチホルダ１６の下端に設けられたストリッパ１７で囲まれている。パンチホルダ１６は、キー１８およびキー溝１０ａにより回り止めされている。パンチホルダ１６の頭部は、パンチ加工を行うパンチ位置Ｐ（図１）にパンチ４が割り出されたときに、ラム６に連結されるＴ形連結部１６ａとされている。
【００１３】
ダイ５は、ダイホルダ１９を介して下タレット３に固定されている。ダイ５はダイ本体２０と、ゴム状弾性体からなるダイ肩部材２１とで構成される。上記ゴム状弾性体としては、例えばウレタンゴム等のゴム材が用いられるが、この他に合成樹脂材等であってゴムと同様の弾性を有する材質であっても良い。ダイ本体２０は、上面中央が金属製フラット面２０ａとされ、中央にパンチ４の嵌入するパンチ嵌入孔２２を有する。ダイ肩部材２１は、ダイ本体２０の金属製フラット面２０ａの外周を囲んで設けられ、上面が金属製フラット面２０ａと略同一高さ（僅かに金属製フラット面２０ａより高い）のフラット面２１ａとされている。
【００１４】
図４および図５にダイ５の組立状態および分解状態を斜視図で示す。ダイ本体２０は、金属製フラット面２０ａの周囲に、金属製フラット面２０ａから立ち下がる円筒状周面２０ｂａ、および金属製フラット面２０ａに対して段差を持って低くなった底面２０ｂｂで構成される環状凹部２０ｂを有し、概形が段付き円筒状の金属製部材とされている。底面２０ｂｂはフラット面とされている。
ダイ肩部材２１は、ダイ５の肩部を構成するリング部材であり、ダイ本体２０の前記円筒状周面２０ｂａに締まり嵌め状態に嵌合して前記底面２０ｂｂ上に載るように配置される。この締まり嵌め状態の嵌合締代は、手作業で嵌め込みができる程度の寸法とされている。すなわち、図５の分解状態において、ダイ肩部材２１の内孔の径寸法は、円筒状周面２０ｂａの外径寸法よりも、作業者がダイ肩部材２１の内孔を手で広げて円筒状周面２０ｂａの外径寸法よりも大きくできる程度に小さく、それにより組立状態（図４）において締まり嵌めとすることができる。ダイ肩部材２１の上面は、内周部が前記フラット面２１ａとされ、外周部がダイ５の肩部の面取部５ａとなるテーパ面２１ｂとされている。ダイ肩部材２１の外周面は、ダイ本体２０の外周面と同一径の円筒状面に形成されている。
【００１５】
この構成のダイ５によると、ダイ５の肩部をゴム状弾性体製のダイ肩部材２１で構成したため、板材Ｗが移動した際にダイ肩部との摺接で発生する裏面傷を軽減することができる。また、ダイ本体２０の上面が金属製フラット面２０ａとされ、その外周に、ダイ肩部材２１のフラット面２１ａが設けられているため、金属製フラット面２０ａで板材Ｗを受け止めた状態で、パンチ１６による板材Ｗの打ち抜き加工を確実に行えると共に、ダイ肩部材２１のフラット面２１ａでも板材Ｗが受け止められて、広いフラット面２０ａ，２１ａで板材Ｗを安定良く支持しながら、板材Ｗの裏面傷を軽減することができる。また、ダイ肩部材２１はダイ５の肩部を構成しており、板材Ｗを介してパンチ１６の押し下げ荷重が作用したときには垂直に縮む。そのため、パンチ加工時に板材Ｗを水平方向にずれさせる力が作用せず、加工精度も向上する。
さらに、フラット面２１ａを有するダイ肩部材２１を外周に設けたことにより、ダイ５の表面の金属製フラット面２０ａの面積を小さくできることから、パンチ数が多い場合に発生する板材Ｗの上反り現象を少なくすることが可能となる。
【００１６】
また、ダイ肩部材２１のフラット面２１ａは、ダイ本体２０の金属製フラット面２０ａと略同一高さとされているので、パンチ加工時に、ダイ肩部材２１のフラット面２１ａを金属製フラット面２０ａと揃えるためにダイ肩部材２１を下降させるといった動作が不要であり、板材Ｗを安定良く支持した状態で打ち抜き加工できる。
さらに、ダイ肩部材２１はダイ５の肩部を構成するリング部材とされ、ダイ本体２０の円筒状周面２０ｂａに締まり嵌め状態に嵌合して設置されるようにしたため、ダイ本体２０へのダイ肩部材２１の設置を簡単に行うことができる。上記締まり嵌め状態の嵌合は、工具を用いることなくダイ肩部材２１の嵌め込むこそができる程度であり、そのためより一層組立が簡単である。
【００１７】
なお、上記実施形態では、ダイ肩部材２１の外周面をダイ本体２０の外周面と同一径の円筒状面に形成したが、図６ないし図８に示すように、ダイ肩部材２１は、ダイ本体２０よりも小径のものとしても良い。その場合に、ダイ肩部材２１は、外周のテーパ面２１ｂが底まで続く台形状の断面形状のものとしても良い。ダイ本体２０は、上記底面２０ｂｂの外周にテーパ面２１ｂｃを有するものとし、このテーパ面２１ｂｃがダイ肩部材２１のテーパ面２１ｂに続いて、両テーパ面２０ｂｃ，２１ｂにより、ダイ５の肩部の面取部５ａを構成する。図６〜図８に示すダイ５におけるその他の構成は、図３〜図５に示した第１の実施形態にかかるダイ５と同様である。
【図面の簡単な説明】
【００１８】
【図１】この発明の一実施形態にかかるダイを備えたパンチプレスの概略構成を示す平面図である。
【図２】同パンチプレスの概略構成を示す側面図である。
【図３】同パンチプレスにおけるパンチおよびダイの設置状態を示す部分破断正面図である。
【図４】同ダイの組立状態を示す斜視図である。
【図５】同ダイの分解状態を示す斜視図である。
【図６】他の実施形態にかかるダイを装備した同パンチプレスにおけるパンチおよびダイの設置状態を示す部分破断正面図である。
【図７】上記他の実施形態にかかるダイの組立状態を示す斜視図である。
【図８】同ダイの分解状態を示す斜視図である。
【図９】従来例の動作説明図である。
【図１０】同動作説明図の部分拡大断面図である。
【符号の説明】
【００１９】
５…ダイ
２０…ダイ本体
２０ａ…金属製フラット面
２０ｂ…環状凹部
２０ｂａ…円筒状周面
２０ｂｂ…底面
２１…ダイ肩部材
２１ａ…フラット面
【図１】
2006075852.tif 000003
【図２】
2006075852.tif 000004
【図３】
2006075852.tif 000005
【図４】
2006075852.tif 000006
【図５】
2006075852.tif 000007
【図６】
2006075852.tif 000008
【図７】
2006075852.tif 000009
【図８】
2006075852.tif 000010
【図９】
2006075852.tif 000011
【図１０】
2006075852.tif 000012